(57)【要約】  【課題】綴じ代を制限無くとれるステープラーを提供すること。  【解決手段】上蓋Ａ2、上蓋Ａ2と蝶つがい部Ｄ2で連結される針庫Ｂ2、及び底部Ｃ2を含んで構成されたステープラーにおいて、針庫Ｂ2及び底部Ｃ2それぞれに磁石１，２を取り付け、これら磁石１，２で、蝶つがい部Ｄ2を底部Ｃ2に固定し、針庫Ｂ2と底部Ｃ2とを分離可能に構成すると共に、底部Ｃ2に、定規を装着するための横方向に貫通した横孔５を形成する。  【選択図】  図１
0003118319.tif 000002
【実用新案登録請求の範囲】
【請求項１】
上蓋、該上蓋と蝶つがい部で連結される針庫、及び底部を含んで構成されたステープラ
ーにおいて、
前記針庫及び前記底部それぞれに磁石が取り付けられ、
これら磁石で、前記蝶つがい部が前記底部に固定され、前記針庫と前記底部とが分離可
能に構成されると共に、
前記底部に、定規を装着するための横方向に貫通した横孔が形成されていることを特徴
とするステープラー。
【請求項２】
前記針庫及び前記底部に取り付けられた磁石の平面形状が、長方形、又は三角形である
ことを特徴とする請求項１記載のステープラー。
【請求項３】
前記針庫及び前記底部それぞれ２か所に磁石が取り付けられ、前記針庫と前記底部とが
２か所で固定されるように構成されていることを特徴とする請求項１記載のステープラー
。
【請求項４】
前記横孔に、前記定規を固定するための留め具、及び該留め具を前方に押し出すスプリ
ングが設置されていることを特徴とする請求項１〜３のいずれかの項に記載のステープラ
ー。
【請求項５】
前記針庫に取り付けられた磁石が、前記針庫の本体に完全に埋め込まれ、
前記底部に取り付けられた磁石が、前記底部の本体に完全に埋め込まれ、
前記底部と対向する前記針庫の下面、及び前記針庫と対向する前記底部の上面それぞれ
が平坦な形状を有していることを特徴とする請求項１〜４のいずれかの項に記載のステー
プラー。
【考案の詳細な説明】
【技術分野】
【０００１】
本考案はステープラーに関し、より詳細には、紙等を束ねて綴じるステープラーに関す
る。
【背景技術】
【０００２】
図３は、従来のステープラーを示した側面図であり、図中Ａ1、Ｂ1、Ｃ1はそれぞれ上蓋、つづり針（ステープル）を収納する針庫、底部を示している。上蓋Ａ1と、針庫Ｂ1と、底部Ｃ1とは蝶つがい部Ｄ1で連結されており、使用者が上蓋Ａ1と底部Ｃ1とを握ることによって、上蓋Ａ1に設けられた押出歯１３で針庫Ｂ1に収納されている針が押し出され、その押し出された針は曲げ部１４で曲げられる。これにより、針庫Ｂ1と底部Ｃ1との間に挟まれた紙束等を綴じることができる。
【０００３】
しかしながら、上記したような従来のステープラーでは、紙束等の綴じる対象物が蝶つ
がい部Ｄ1で閊えてしまい、綴じる位置が制約されてしまうといった問題があり、例えば
、綴じ代の長さは、押出歯１３と蝶つがい部Ｄ1との距離によって決定され、数ｃｍまで
しかとれない。また、小冊子を作成するにあたって、紙の中央で綴じたくても、やはり紙
が蝶つがい部Ｄ1で閊えてしまい、押出歯１３を所望の綴じ位置（紙の中央）まで持って
いくことができない。
【考案の開示】
【課題を解決するための手段及びその効果】
【０００４】
本考案は上記課題に鑑みなされたものであって、綴じ代を制限無くとれるステープラー
を提供することを目的としている。
【０００５】
上記目的を達成するために本考案に係るステープラー（１）は、上蓋、該上蓋と蝶つが
い部で連結される針庫、及び底部を含んで構成されたステープラーにおいて、前記針庫及
び前記底部それぞれに磁石が取り付けられ、これら磁石で、前記蝶つがい部が前記底部に
固定され、前記針庫と前記底部とが分離可能に構成されると共に、前記底部に、定規を装
着するための横方向に貫通した横孔が形成されていることを特徴としている。
【０００６】
上記ステープラー（１）によれば、前記針庫及び前記底部それぞれに磁石が取り付けら
れ、前記針庫と前記底部とは分離可能に構成されているので、綴じる対象物（例えば、紙
束）が蝶つがい部に閊えるといった問題を解消することができる。これにより、綴じ代を
制限無くとることができる。
また、前記針庫と前記底部とを分離しても、前記針庫及び前記底部に取り付けられた磁
石によって、前記針庫（前記蝶つがい部）を前記底部に簡単に固定させることができ、ま
たその位置合わせについても容易に行うことができる。
【０００７】
ところで、前記底部は紙束等の下方に位置することになり、紙束等で完全に覆い尽くさ
れると、紙束等の上方から前記底部は見えない。そのため、前記針庫と前記底部とが分離
されると、紙束等を所望の位置で綴じることが難しくなるおそれがある。
しかしながら、上記ステープラー（１）によれば、前記底部に前記横孔が形成されてい
るので、該横孔に前記定規を装着することができ、前記横孔に装着した前記定規を使用す
ることによって、縦にも横にもズレることなく、紙束等を所望の位置で綴じることができ
る。
【０００８】
また、本考案に係るステープラー（２）は、上記ステープラー（１）において、前記針
庫及び前記底部に取り付けられた磁石の平面形状が、長方形、又は三角形であることを特
徴としている。
【０００９】
前記針庫及び前記底部に、例えば、その平面形状が丸型であれば、前記針庫と前記底部
との位置合わせを行う場合に、角度ズレが生じ、前記針庫と前記底部との位置合わせが難
しくなることが考えられる。
【００１０】
上記ステープラー（２）によれば、前記針庫及び前記底部に取り付けられた磁石の平面
形状が、長方形、又は三角形であるので、角度ズレが生じにくく、前記針庫と前記底部と
の正確な位置合わせをより一層、容易に行うことができる。
【００１１】
また、本考案に係るステープラー（３）は、上記ステープラー（１）において、前記針
庫及び前記底部それぞれ２か所に磁石が取り付けられ、前記針庫と前記底部とが２か所で
固定されるように構成されていることを特徴としている。
上記ステープラー（３）によれば、前記針庫と前記底部とが２か所で固定されるので、
前記針庫と前記底部とをより的確に固定することができる。
【００１２】
また、本考案に係るステープラー（４）は、上記ステープラー（１）〜（３）のいずれ
かにおいて、前記横孔に、前記定規を固定するための留め具、及び該留め具を前方に押し
出すスプリングが設置されていることを特徴としている。
上記ステープラー（４）によれば、前記横孔に前記留め具及び前記スプリングが設置さ
れているので、装着した定規を前記横孔にしっかりと固定することができる。
【００１３】
また、本考案に係るステープラー（５）は、上記ステープラー（１）〜（４）のいずれ
かにおいて、前記針庫に取り付けられた磁石が、前記針庫の本体に完全に埋め込まれ、前
記底部に取り付けられた磁石が、前記底部の本体に完全に埋め込まれ、前記底部と対向す
る前記針庫の下面、及び前記針庫と対向する前記底部の上面それぞれが平坦な形状を有し
ていることを特徴としている。
【００１４】
上記ステープラー（５）によれば、前記底部と対向する前記針庫の下面、及び前記針庫
と対向する前記底部の上面それぞれが平坦な形状を有しているので、紙束等をきっちりと
挟み込んで、的確に綴じることができる。
【考案を実施するための最良の形態】
【００１５】
以下、本考案に係るステープラーの実施の形態を図面に基づいて説明する。図１は、実
施の形態（１）に係るステープラーを示した外観図であり、（ａ）は斜め下方向から見た
図であり、（ｂ）は斜め上方向から見た図である。
【００１６】
図中Ａ2は上蓋を示しており、上蓋Ａ2はステンレス製の本体の上にプラスチック製のカバーが取り付けられたものである。上蓋Ａ2はつづり針（ステープル）を収納する針庫Ｂ2と蝶つがい部Ｄ2で連結されている。針庫Ｂ2はステンレス製の本体から成り、その本体に磁石１が完全に埋め込まれ、針庫Ｂ2の下面は平坦な形状を有している。
【００１７】
底部Ｃ2はステンレス製の本体から成り、その本体に磁石２が完全に埋め込まれ、底部Ｃ2の上面は平坦な形状を有している。これら磁石１，２によって、蝶つがい部Ｄ2は底部Ｃ2に固定され、また針庫Ｂ2と底部Ｃ2とが分離可能に構成されている。また、磁石１，２それぞれの周り３，４はプラスチックで構成されている。これは、磁石１，２に金属が接していれば、時間の経過と共にその金属自体が磁力を持つようになって、不都合が生じるのを避けるためである。
【００１８】
磁石１，２によって針庫Ｂ2と底部Ｃ2とが固定された状態で、使用者が上蓋Ａ2を下方へ押すことによって、上蓋Ａ2に設けられた押出歯１１で針庫Ｂ2に収納されている針が押し出され、押し出された針は曲げ部１２で曲げられる。これによって、針庫Ｂ2と底部Ｃ2との間に挟まれた紙束等を綴じることができる。
【００１９】
また、底部Ｃ2には、定規を装着するための横方向に貫通した横孔５が形成されている
。横穴５には、図２に示したように、差し込んだ定規（図示せず）を固定するために、留
め具６と、心棒１０と、心棒１０に巻かれ、留め具を前方（矢印８の方向）に押し出すス
プリング９とが設置されている。これにより、留め具６に対して常に矢印８の方向に力が
働き、横孔５に差し込んだ定規を横孔５の先端部でしっかりと固定することができる。ま
た、留め具６には持ち手７が取り付けられているので、使用者は持ち手７を使用すること
によって留め具６を簡単に後方（矢印８と逆方向）へ移動させることができ、定規を横孔
５に簡単に差し込むことができる。
【００２０】
上記実施の形態（１）に係るステープラーによれば、針庫Ｂ2及び底部Ｃ2それぞれに磁石１，２が取り付けられ、針庫Ｂ2と底部Ｃ2とは分離可能に構成されているので、綴じる対象物（例えば、紙束）が蝶つがい部Ｄ2に閊えるといった問題を解消することができ、綴じ代を制限無く自由にとることができる。
【００２１】
これにより、紙の中央で綴じて、綴じ代の無い小冊子を作成することも可能になる。例
えば、小冊子の中程に見開きの写真を掲載する場合であっても、綴じ代が無ければ、写真
を潰さずに、美しい状態を保ったままにすることができる。閲覧者はストレス無く小冊子
を閲覧することができる。
【００２２】
また、針庫Ｂ2と底部Ｃ2とを分離しても、針庫Ｂ2及び底部Ｃ2に取り付けられた磁石１，２によって、針庫Ｂ2（蝶つがい部Ｄ2）を底部Ｃ2に簡単に固定させることができ、またその位置合わせ（押出歯１１と曲げ部１２との位置合わせ）についても容易に行うことができる。なお、磁石１，２の平面形状としては、長方形や三角形等、角度ズレの生じにくいものが望ましい。
【００２３】
さらに、上記実施の形態（１）に係るステープラーによれば、底部Ｃ2に横孔５が形成されているので、横孔５に定規を装着することができ、横孔５に差し込んだ定規を使用す
ることによって、縦にも横にもズレることなく、紙束等を所望の位置で綴じることができ
る。
【００２４】
また、上記実施の形態（１）に係るステープラーでは、針庫Ｂ2及び底部Ｃ2それぞれに磁石を１つずつ取り付け、針庫Ｂ2と底部Ｃ2とを１か所で固定する場合について説明しているが、本発明に係るステープラーはこの形態に限定されるものではなく、別の実施の形態に係るステープラーでは、針庫Ｂ2の中程、及び底部Ｃ2の中程にも１つずつ磁石を取り付け、２か所で固定するようにしても良い。
【００２５】
また、上記実施の形態（１）に係るステープラーでは、一般用のステープラーの場合に
ついて説明しているが、本発明に係るステープラーは一般用のステープラーにその使用が
限定されるものではなく、事務用の据え置き型を上記と同様に分離可能な構成としても良
い。また、この場合についても、１か所ではなく、２か所で固定するようにしても良い。
【図面の簡単な説明】
【００２６】
【図１】本考案の実施の形態（１）に係るステープラーの外観図であり、（ａ）は斜め下方向から見た図であり、（ｂ）は斜め上方向から見た図である。
【図２】実施の形態（１）に係るステープラーの横孔に装着された定規を固定するための構造を説明するための説明図である。
【図３】従来のステープラーを示した側面図である。
【符号の説明】
【００２７】
Ａ2  上蓋
Ｂ2  針庫
Ｃ2  底部
Ｄ2  蝶つがい部
１、２  磁石
５  横孔
６  留め具
９  スプリング
１０  心棒
１１  押出歯
１２  曲げ部
【図１】
0003118319.tif 000003
【図２】
0003118319.tif 000004
【図３】
0003118319.tif 000005